【事件の表示】
　特願２０１２−５４４８８６「安定化コンタクトレンズ」拒絶査定不服審判事件〔平成２３年　７月１４日国際公開，ＷＯ２０１１／０８４６８１，平成２５年　５月　２日国内公表，特表２０１３−５１５２８１〕について，次のとおり審決する。
【結　論】
　本件審判の請求は，成り立たない。
【理　由】
１　手続の経緯
　本件拒絶査定不服審判事件に係る出願（以下，「本件出願」という。）は，２０１０年１２月１７日（パリ条約による優先権主張２００９年１２月１７日，米国）を国際出願日とする外国語特許出願であって，平成２４年８月１５日に国際出願日における明細書，請求の範囲及び図面の翻訳文が提出され，平成２６年８月２６日付けで拒絶理由が通知され，同年１１月２０日に意見書及び手続補正書が提出され，平成２７年４月１４日付けで拒絶理由が通知され，同年７月２日に意見書及び手続補正書が提出されたが，当該手続補正書による補正が同年１２月１１日付けで却下されるととともに同日付けで拒絶査定がなされた。
　本件拒絶査定不服審判は，これを不服として平成２８年４月２１日に請求されたものであって，本件審判の請求と同時に手続補正書が提出され，当該手続補正書による補正が平成２９年３月１４日付けで却下されるとともに，同日付けで拒絶理由が通知され，同年６月２日に意見書及び手続補正書が提出された。
２　本件出願の請求項１に係る発明
　本件出願の請求項１ないし３に係る発明は，平成２９年６月２日提出の手続補正書によって補正された特許請求の範囲の請求項１ないし３に記載された事項によって特定されるものであるところ，請求項１の記載は次のとおりである。
「光学領域と，前記光学領域を取り囲む周囲方向のレンズ表面領域である周縁ゾーンと，
を含むコンタクトレンズであって，
　前記周縁ゾーンは，眼上でのレンズの位置を安定化させるための領域である安定化ゾーンを備え，
　前記安定化ゾーンは，前記光学領域の左右両側に形成され，肉厚部及び肉薄部を有し，
　前記肉薄部は，前記肉厚部の上側に形成され，前記周縁ゾーンの平均厚さよりも薄い厚さ値を有する領域であり，
　前記肉厚部は，前記肉薄部より厚い厚さ値を有する領域である，
　コンタクトレンズ。」（以下，当該請求項１に係る発明を「本願発明」という。）
３　平成２９年３月１４日付けで通知された拒絶理由の概要
　平成２９年３月１４日付けで通知された拒絶理由の一つは，概略，次のとおりである。
　本件出願の請求項１ないし９（審決注：平成２６年１１月２０日提出の手続補正書による補正後の請求項１ないし９である。）に係る発明は，引用文献１（国際公開第２００９／１３９０２１号）に記載された発明と実質的に同一であるから，特許法２９条１項３号に該当し，特許を受けることができないか，少なくとも，当該発明に基づいて，当業者が容易に発明をすることができたものであるから，同条２項の規定により特許を受けることができない。（以下，「当審拒絶理由」という。）
４　引用例
（１）引用文献１の記載
　引用文献１は，本件出願の優先権主張の日（以下，「本願優先日」という。）より前に電気通信回線を通じて公衆に利用可能となった（インターネットを利用した方法で発行された）ものであって，当該引用文献１には次の記載がある。（下線は，後述する引用発明の認定に特に関係する箇所を示す。）
　ア　「技術分野
［０００１］　本発明は，ソフトタイプおよびハードタイプを含むコンタクトレンズに係り，特に装用時に周方向のレンズ位置決めを行うことの出来るコンタクトレンズに関するものである。 
背景技術
［０００２］　コンタクトレンズにおいては，乱視矯正用の光学部や，老視を矯正する遠近両用の光学部を有する場合など，装用時に周方向の位置決めが必要とされる場合がある。例えば乱視矯正に用いられるトーリックレンズは，眼球の乱視軸とレンズの円柱軸の相対位置に関して高度で且つ安定した合致性が要求される。また，例えば老視矯正に用いられる遠近両用の多焦点レンズ等において，光学中心回りの周方向のレンズ度数分布が一様でないレンズデザインが採用されているレンズ等も，周方向の位置決めが必要とされる。そして，これら特定コンタクトレンズにおいては，かかるレンズ周方向位置の安定性とレンズ装用感の向上とを両立することが大きな要求特性とされる。
［０００３］　ところで，コンタクトレンズを装用状態下で周方向に位置決めする手法としては，従来から，特許文献１に記載の「トランケーション法」や，特許文献２に記載の「プリズムバラスト法」，特許文献３及び４に記載の「スラブオフ法」が，知られている。しかしながら，これら従来手法では，コンタクトレンズにおける周方向位置決め性能と装用感とを，要求されるレベルで両立して満足させることが極めて困難であった。
［０００４］　すなわち，特許文献１に記載の「トランケーション法」は，レンズ下端外周を弦方向に直線形状として下眼瞼で支持させることでコンタクトレンズを周方向に位置決めするものであるが，下眼瞼に当接するレンズ下端外周の直線部分の両端エッジが下眼瞼を刺激するために装用感が良くないという問題があった。また，特許文献２に記載の「プリズムバラスト法」は，レンズ全体にプリズムを設定して下方に向かって厚肉とさせることで重力作用を利用してコンタクトレンズを周方向に位置決めするものであるが，プリズムによってレンズ下端が厚肉となって装用感が悪いことに加えて，プリズムが光学部に悪影響を及ぼして見え方を低下させるおそれもあった。また，特許文献３及び４に記載の「スラブオフ法」は，レンズ下部や上下部に薄肉部を設けて眼瞼による食わえ込み作用を利用してコンタクトレンズを周方向に位置決めするものであるが，装用者の眼瞼圧や眼瞼形状等の個人差によって安定した周方向位置決め効果が得難いことに加えて，眼瞼による食わえ込み量の確保のためにレンズサイズを大きくすることに伴って装用感が悪化し易いという問題があったのである。
［０００５］　一方，特許文献５には，コンタクトレンズを装用状態下で周方向に位置決めするための新たな手法が提案されている。この特許文献５に記載のコンタクトレンズにおいては，レンズ周辺部において左右一対の厚肉部を形成すると共に，それら各厚肉部を下方に偏倚して形成してレンズ重心を下方に設定することによってレンズ周方向位置の安定性を図ると共に，各厚肉部の周方向両端縁部には，それぞれ，薄肉部に向かって周方向で次第に薄肉化する厚さ変化領域を形成することによって装用感を向上させる構成が採用されている。
［０００６］　しかしながら，本発明者が検討したところ，かかる特許文献５に記載されたコンタクトレンズは，基本的には，左右一対の厚肉部に作用する重力によってレンズ周方向位置の安定化を図ることだけに着眼したものに過ぎず，それ故，レンズ周方向位置の安定性とレンズ装用感の向上との両立に関して，未だ十分に満足出来るものではなかったのである。
［０００７］　すなわち，特許文献５に記載のコンタクトレンズにおいて，レンズ周方向位置の安定性を向上させるためには，厚肉部の厚さ寸法を充分に大きくしたり，極端に下方に偏倚させることが必要となる。実際，特許文献５に具体的に記載された構造は，全て，左右両方の厚肉部がレンズ水平経線よりも下方にのみ偏って形成されている。ところが，厚肉部の厚さ寸法を大きくすると眼瞼への異物感が増大してレンズ装用感が著しく損なわれることは言うまでもない。加えて，厚肉部の厚さ寸法を大きくすると，瞬目に際して上眼瞼が厚肉部に引っ掛かるようにして或いは大きな摩擦作用によって，レンズに回転作用が加わって，レンズ周方向位置が安定しないという問題があることも，本発明者によって明らかになった。
・・・（中略）・・・
発明が解決しようとする課題
［００１０］　ここにおいて，本発明は上述の如き事情を背景として為されたものであって，その解決課題とするところは，装用状態下におけるレンズ周方向位置の安定性とレンズ装用感の向上とを高度に両立し得る，新規な構造のコンタクトレンズを提供することにある。
課題を解決するための手段
・・・（中略）・・・
［００１２］　すなわち，本発明の第一の態様は，
中央部分の光学部とその周囲の周辺部とを備えたコンタクトレンズにおいて，前記光学部がプリズム設定による重心偏倚を有しない前後面で形成されている一方，前記周辺部には，装用状態で上下に対向位置する部分に上側薄肉部と下側薄肉部がそれぞれ一定の厚さ寸法で周方向に延びて形成されていると共に装用状態で左右に対向位置する部分に該薄肉部より厚さ寸法が大きい一対の厚肉部がそれぞれ一定の厚さ寸法で周方向に延びて形成されており，該一対の厚肉部が，何れも，装用状態で左右方向に延びる水平径方向線を跨いで周方向の上下両側に延び出していると共に，該厚肉部における該水平径方向線から上方への延び出し長さよりも下方への延び出し長さが大きくされて，該厚肉部の重心位置が下方に偏倚せしめられていると共に，該上側薄肉部の周方向両側部分において，それぞれ，各該厚肉部の上端縁部から該薄肉部に向かって周方向で次第に薄肉となる上側移行部が形成されており，且つ，該下側薄肉部の周方向両側部分において，それぞれ，各該厚肉部の下端縁部から該薄肉部に向かって周方向で次第に薄肉となる下側移行部が形成されており，更に，該下側移行部における周方向長さに対する厚さ寸法変化量の比で表される下側移行部の厚さ変化率の値が，該上側移行部における周方向長さに対する厚さ寸法変化量の比で表される上側移行部の厚さ変化率の値よりも大きく設定されている
［００１３］　このような構造とされたコンタクトレンズにおいては，装用状態下での周方向の位置決め作用として，左右の厚肉部が何れも下方に重心偏倚されていることによる重力作用に基づく周方向の位置決め作用に加えて，上眼瞼が左右の厚肉部の上端に当接する際の当接作用によるレンズ周方向位置決め作用と，上眼瞼が左右の厚肉部上に被さる際の滑り出し作用によるレンズ周方向位置決め作用，更に下眼瞼が左右の厚肉部の下端に当接する際の当接作用によるレンズ周方向位置決め作用が，相乗的に発揮される。特に，厚肉部はレンズ左右両側における各外周部分にそれぞれ設けられていることから，これら重力や上眼瞼および下眼瞼によるレンズ周方向の位置決め作用が，レンズ周方向に大きな回転モーメントを発生して且つ左右釣り合い状態で極めて効率的に発揮されることとなる。」
　イ　「図面の簡単な説明
［００７５］［図１］本発明の実施形態としてのコンタクトレンズを示す正面図。
［図２］図１におけるＩＩ−ＩＩ断面図。
［図３］図１におけるＩＩＩ−ＩＩＩ断面図。
［図４］図１に示したコンタクトレンズの周辺部の厚み変化を説明するための説明図。
・・・（中略）・・・
［図６］同コンタクトレンズの装用状態を説明するための説明図。
・・・（中略）・・・
符号の説明 
［００７６］１０　コンタクトレンズ
２６　光学部
３１　周辺部
４２　上側薄肉部
４４　下側薄肉部
５０　厚肉部
５２　上側移行部
５４　下側移行部」
　ウ　「発明を実施するための最良の形態
［００７７］　以下，本発明を更に具体的に明らかにするために，本発明の実施形態について，図面を参照しつつ，詳細に説明する。
［００７８］　先ず，図１乃至３に，本発明に従う構造とされたコンタクトレンズ１０を示す。コンタクトレンズ１０は，全体として部分的な略球殻形状を有しており，良く知られているように，眼球における角膜の表面に重ねて装用されることによって使用されるようになっている。なお，本発明は，ソフトタイプおよびハードタイプの何れのコンタクトレンズにも適用可能であるが，
本実施形態におけるコンタクトレンズ１０はソフトタイプのコンタクトレンズ
［００７９］　より詳細には，本実施形態のコンタクトレンズ１０は，レンズ外形の中心軸であるレンズ幾何中心軸１２を通る一つの鉛直径方向線１４に関して線対称形状とされており，装用状態下で，この鉛直径方向線１４が略鉛直方向となるようにされている。そして，レンズ幾何中心軸１２を通り鉛直径方向線１４と直交する径方向線である水平径方向線１５が，装用状態下で，略水平方向となるようにされている。なお，径方向断面形状を示す図２，図３では，対称軸となる鉛直径方向線１４上で，図１中の上方を基準（θ＝０度）として，レンズ幾何中心軸１２回りの周方向でθ＝０度（図３），９０度（図２）の二つを示す。
［００８０］　さらに，本実施形態のコンタクトレンズ１０は，図１に示された正面視において円形状とされており，略凸状球面とされたレンズ前面１６と，略凹状非球面とされたレンズ後面１８を有している。ここにおいて，レンズ前面１６は，径方向断面形状として数次の多項式を始めとする任意の形状が採用可能であるが，特に
本実施形態においては，レンズ前面１６は，略一定の曲率半径を有する凸状の略円弧形断面とされている。一方，レンズ後面１８は非球面形状をもって形成されており，
［００８１］　これにより，
コンタクトレンズ１０は，
光学部後面２０でレンズ後面が形成された光学部２６と，
第一周辺部２８と，
第二周辺部３０，および最外周縁部に位置してレンズ前後面を接続するエッジ部３２によって構成されている。
レンズ中央部分に光学部２６が形成されると共に，光学部２６の外周に第一周辺部２８が形成されて，更に，第一周辺部２８の外周に第二周辺部３０が形成されている。
内周側の第一周辺部２８と外周側の第二周辺部３０によって，周辺部３１が構成されている。
［００８２］　なお，光学部後面２０は，レンズ前面１６と協働して，要求される視力矯正機能等の光学特性として，例えば単一焦点や二以上の多焦点のレンズ度数を実現せしめるように，適当な曲率半径の球面や非球面が採用される。更に，本発明が有利に適用される乱視矯正用コンタクトレンズでは，要求される乱視矯正用の光学特性を光学部２６に付与するために，レンズ前面１６と光学部後面２０の少なくとも一方において，適当な円柱度数が，適当な円柱軸角度をもって発現されるように，円柱レンズ面が組み合わされるようになっている。
［００８３］　特に
本実施形態においては，光学部後面２０に
トーリック面が形成されており，レンズ前面１６と光学部後面２０が同じレンズ幾何中心軸１２上で形成されることによって，光学部２６がトーリックレンズとされている。
［００８４］　一方，第一周辺部２８および第二周辺部３０は，何れもコンタクトレンズ１０の光学特性に影響を与えるものではないことから，その形状を，要求される光学特性による拘束を受けることなく設定することが出来る。そこで，コンタクトレンズ１０に対して装用時の位置安定性や装用感が良好に発揮されるように，第一周辺部後面２２および第二周辺部後面２４の形状を設定することが可能である。
［００８５］　具体的には，これら第一周辺部後面２２および第二周辺部後面２４には，任意の形状の付与が可能であるが，設計および製作の作業性等も考慮すると，例えば，第一周辺部後面２２としては，二次以上の多項式や円錐曲線，スプライン曲線の少なくとも一つ又はこれらの組み合わせによって定義される径方向断面形状が好適に採用される一方，第二周辺部後面２４としては，円弧形状や二次曲線形状によって定義される径方向断面形状が好適に採用される。
［００８６］　ここにおいて，一層良好な装用感を実現するために，レンズ径方向断面形状において第一周辺部後面２２や，第二周辺部後面２４は，何れも，折れ点のない滑らかな形状とされることが望ましい。より好適には，光学部後面２０と第一周辺部後面２２の接続点である第一ジャンクション３４や第一周辺部２８と第二周辺部３０の接続点である第二ジャンクション３６の各レンズ後面を含む
レンズ後面１８の実質的に全体に亘って，径方向において接線の傾斜角度が連続的に変化せしめられることにより，エッジ状の折れ点がなく連続した滑らかな形状とされる。
［００８７］　また，第二周辺部後面２４は，第二周辺部３０の肉厚寸法が周方向で変化せしめられるように形状設定されている。図４に，本実施形態における第二周辺部３０の周方向での肉厚寸法の変化をモデル的に示す。
本実施形態においては，第二周辺部３０には，鉛直方向上下端部３８，４０を含む所定の周方向寸法に亘って，第二周辺部３０の周上で相対的に薄肉とされた上側薄肉部４２および下側薄肉部４４が形成されている。それと共に，水平方向左右端部４６，４８を含む所定の周方向寸法に亘って，第二周辺部３０の周上で相対的に厚肉とされて，上下薄肉部４２，４４よりも厚さ寸法の大きな一対の厚肉部５０が形成されている。
［００８８］　そして，
第二周辺部３０の周方向における上側薄肉部４２と厚肉部５０，５０の間の２箇所に，それぞれ，上側薄肉部４２から厚肉部５０，５０に向けて厚さ寸法が次第に変化せしめられた上側移行部５２が形成されていると共に，下側薄肉部４４と厚肉部５０，５０の間の２箇所に，それぞれ，下側薄肉部４４から厚肉部５０，５０に向けて厚さ寸法が次第に変化せしめられた下側移行部５４が形成されている。
［００８９］　なお，これら上下側薄肉部４２，４４，厚肉部５０，上下側移行部５２，５４は，何れも，レンズ径方向の幅寸法は特に限定されるものではないが，本実施形態においては，何れも一定の径方向幅寸法をもって形成されており，換言すれば，第二周辺部３０が全周に亘って一定の径方向幅寸法をもって形成されている。これにより，周辺部３１の外周縁部を構成する第二周辺部３０に，一定の径方向幅寸法をもって周方向に延びる上下側薄肉部４２，４４，厚肉部５０，上下側移行部５２，５４が形成されている。
［００９０］　ここにおいて，レンズの左右に位置せしめられる
一対の厚肉部５０，５０は互いに鉛直径方向線１４を挟んで対称形状とされており，左右端部４６，４８上を通る水平径方向線１５を跨いで第二周辺部３０の周方向の上下両側に延び出す所定寸法に亘って形成されている。また，各厚肉部５０の径方向断面形状は，第一周辺部２８との接続点である第二ジャンクション３６の位置で最も厚肉とされて，エッジ部３２に行くに連れて次第に薄肉となるようにされている。
［００９１］　かかる厚肉部５０の周方向上下両端縁部は，所定の境界厚さ寸法（以下，単に厚さ寸法とする）：Ｔａによって規定される。図４からも明らかなように，
厚肉部５０は，周方向の全体に亘って一定の厚さ寸法：Ｔａとされている
本実施形態においては，厚さ寸法：Ｔａ＝０．４５ｍｍ
［００９２］　さらに，前述のように，
厚肉部５０の周方向上下両端縁部
レンズ幾何中心軸１２回りにおいて上方のＴａが位置する仰角：γ
が位置する俯角：δ
［００９３］
　なお，ここにおいて，仰角：γは，好適には，１０度〜３０度の範囲内，より好適には，１５度〜２０度の範囲内に設定される。これにより，上側厚肉部５６の形状を可及的に多くの装用者の眼形状に合わせて，眼瞼を開いた際には上眼瞼が上側厚肉部５６から離れるように出来ることから，上眼瞼が上側厚肉部５６に常時乗り上げるようなおそれ等を抑えることが出来て，装用感を向上せしめることが出来る。
本実施形態においては，仰角：γ＝２０度に設定されている。
［００９４］　また，俯角：δは，好適には，２０度〜６０度の範囲内，より好適には，３０度〜４０度の範囲内に設定される。これにより，下側厚肉部５８の形状を可及的に多くの装用者の眼形状に合わせて，下側厚肉部５８が下眼瞼に食い込むおそれを軽減することが出来て，装用感を向上せしめることが出来る。
本実施形態においては，俯角：δ＝４０度に設定されている。
［００９５］　一方，
上下側薄肉部４２，４４は，それぞれ，鉛直径方向線１４に関して対称形状とされており，上下端部３８，４０を中心として第二周辺部３０の周方向の所定寸法に亘って形成されている。また，上下側薄肉部４２，４４の径方向断面形状は，第一周辺部２８との接続点である第二ジャンクション３６の位置で最も厚肉とされて，エッジ部３２に行くに連れて次第に薄肉となるようにされている。
［００９６］　そこにおいて，上側薄肉部４２の周方向左右両端縁部は，所定の厚さ寸法：Ｔｂによって規定される一方，下側薄肉部４４の周方向左右両端縁部は，所定の厚さ寸法：Ｔｃによって規定される。そして，図４からも明らかなように，
上側薄肉部４２は周方向の全体に亘って一定の厚さ寸法：Ｔｂとされる一方，下側薄肉部４４は周方向の全体に亘って一定の厚さ寸法：Ｔｃとされている。
特に本実施形態においては，上側薄肉部４２の周方向左右両端部を規定する所定の厚さ寸法：Ｔｂ＝０．１４ｍｍ，下側薄肉部４４の周方向左右両端部を規定する所定の厚さ寸法：Ｔｃ＝０．１４ｍｍとされており，
［００９７］　また，上側薄肉部４２の厚さ寸法：Ｔｂは，好適には，厚肉部５０の厚さ寸法：Ｔａとの差が，０．２０ｍｍ〜０．４５ｍｍの範囲内，より好適には，０．２３ｍｍ〜０．４２ｍｍの範囲内となるように設定される。これにより，厚肉部５０と上側薄肉部４２の間での他方に対する相対的な厚さ乃至は薄さを有効に確保して，厚肉部５０への上眼瞼の押し出し作用や上側薄肉部４２の食い込み作用を何れも有効に発揮することが出来ると共に，後述する上側移行部５２の厚さ変化率が過渡に急峻になることも抑えられる。本実施形態においては，ＴｂとＴａの差が０．３１ｍｍに設定されている。
［００９８］　一方，下側薄肉部４４の厚さ寸法：Ｔｃは，好適には，厚肉部５０の厚さ寸法：Ｔａとの差が，０．２０ｍｍ〜０．４５ｍｍの範囲内，より好適には，０．２３ｍｍ〜０．４２ｍｍの範囲内となるように設定される。これにより，上記上側薄肉部４２と同様に，厚肉部５０への上眼瞼の押し出し作用や下側薄肉部４４の食い込み作用を有効に発揮出来ると共に，後述する下側移行部５４の厚さ変化率が過渡に急峻になることも抑えられる。本実施形態においては，ＴｃとＴａの差が０．３１ｍｍに設定されている。
［００９９］　なお，
本実施形態においては，
上側薄肉部４２と下側薄肉部４４の周方向寸法が互いに等しくされている
［０１００］　以上のように，本実施形態においては，第二周辺部３０の周方向において，厚さ寸法：Ｔａが最も厚く，厚さ寸法：ＴｂおよびＴｃが最も薄くされており，厚さ寸法がＴａである範囲が厚肉部５０とされると共に，厚さ寸法がＴｂである範囲が上側薄肉部４２，厚さ寸法がＴｃである範囲が下側薄肉部４４とされている。そして，第二周辺部３０の周方向において，厚さ寸法がＴａからＴｂに（或いは，ＴｂからＴａに）変化せしめられる範囲が上側移行部５２とされると共に，厚さ寸法がＴａからＴｃに（或いは，ＴｃからＴａに）変化せしめられる範囲が下側移行部５４とされている。従って，上側移行部５２の厚肉部５０側の周方向端縁部が厚さ寸法：Ｔａで規定されると共に，上側移行部５２の上側薄肉部４２側の周方向端縁部が厚さ寸法：Ｔｂで規定される。また，下側移行部５４の厚肉部５０側の周方向端縁部が厚さ寸法：Ｔａで規定されると共に，下側移行部５４の下側薄肉部４４側の周方向端縁部が厚さ寸法：Ｔｃで規定される。
［０１０１］　
上側移行部５２は上側薄肉部４２の周方向両側に形成されて鉛直径方向線１４を挟んで互いに対称形状とされており，上側薄肉部４２の周方向左右それぞれの端縁部から厚肉部５０の周方向上端縁部に行くに連れて，周方向で厚さ寸法が次第に大きく変化せしめられることによって，上側薄肉部４２と厚肉部５０を接続するようになっている。
厚さ寸法が
ＴｂからＴａに
次第に変化
［０１０２］　そこにおいて，
上側移行部５２におけるレンズ幾何中心軸１２回りで周方向上下両側のＴｂ−Ｔａ間の中心角：αは，
本実施形態においては，中心角：α＝５０度に設定されている
［０１０３］　さらに，上側移行部５２において，周方向長さに対する厚さ寸法変化量の比で表される厚さ変化率：（Ｔａ−Ｔｂ）／αは，好適には，０．３０×１０−２ｍｍ／角度〜１．０×１０−２ｍｍ／角度の範囲内，より好適には，０．３５×１０−２ｍｍ／角度〜０．８０×１０−２ｍｍ／角度の範囲内，更に好適には０．４０×１０−２ｍｍ／角度〜０．７０×１０−２ｍｍ／角度の範囲内で設定される。このようにすれば，上側移行部５２の厚さ変化率を比較的緩やかに設定することが出来て，上眼瞼の押し出し作用等を有効に確保しつつ，上眼瞼の接触による刺激等も抑えられることから，周方向安定性と装用感の向上をより高度に両立することが出来る。本実施形態においては，上側移行部５２の厚さ変化率：（Ｔａ−Ｔｂ）／α＝０．６２×１０−２ｍｍ／角度に設定されている。
［０１０４］　なお，上側移行部５２は，上側薄肉部４２および厚肉部５０に対して滑らかに接続されていることが好ましく，第二周辺部３０の周方向断面における上側薄肉部４２および厚肉部５０との接続点において，エッジ状の折れ点がなく連続した滑らかな形状とされることが好ましい。本実施形態における上側移行部５２は，図４にも示すように，周方向中央部分６０が略一定の厚さ変化率をもって周方向に延びて形成されていると共に，上側移行部５２の周方向両端部には，厚肉部５０および上側薄肉部４２に対して滑らかに接続するように，厚肉部５０および上側薄肉部４２に近づくに連れて厚さ変化率が次第に小さくなるように漸変せしめられた接続部分６２が形成されている。
［０１０５］　一方，
下側移行部５４は下側薄肉部４４の周方向両側に形成されて鉛直径方向線１４を挟んで互いに対称形状とされており，下側薄肉部４４の周方向左右それぞれの端縁部から厚肉部５０の周方向下端縁部に行くに連れて，周方向で厚さ寸法が次第に大きく変化せしめられることによって，下側薄肉部４４と厚肉部５０を接続する
厚さ寸法が
ＴｃからＴａに
次第に変化
［０１０６］　そして，
下側移行部５４におけるレンズ幾何中心軸１２回りで周方向上下両側のＴａ−Ｔｃ間の中心角：βは，
本実施形態においては，中心角：β＝３０度に設定され
［０１０７］　そこにおいて，本実施形態においては，下側移行部５４における中心角：βが，上側移行部５２における中心角：αに比して小さく設定されており，下側移行部５４の周方向寸法が，上側移行部５２の周方向寸法よりも小さくされている。これにより，上側移行部５２の周方向寸法を長めに設定して緩やかな傾斜を設定することによって，上眼瞼の上側移行部５２への接触に際する刺激を低減出来ると共に，下側移行部５４の周方向寸法を短めに設定することによって，下側移行部５４の下眼瞼への食い込み量を低減して，装用感を向上することが出来る。
［０１０８］　さらに，下側移行部５４において，周方向長さに対する厚さ寸法変化量の比で表される厚さ変化率：（Ｔａ−Ｔｃ）／βは，好適には，０．６０×１０−２ｍｍ／角度〜１．５０×１０−２ｍｍ／角度の範囲内，より好適には，０．７０×１０−２ｍｍ／角度〜１．１０×１０−２ｍｍ／角度の範囲内で設定される。蓋し，下側移行部５４の厚さ変化率が０．６０×１０−２ｍｍ／角度よりも小さいと，下側移行部５４の傾斜が緩やかになり過ぎて，下側移行部５４の下眼瞼の上端縁への当接によるレンズ回転防止効果が得られ難くなる一方，下側移行部５４の厚さ変化率が１．５０×１０−２ｍｍ／角度よりも大きいと，下側移行部５４の傾斜が急峻になり過ぎて，瞬目に際する上眼瞼への引っ掛かりに起因して不要な回転や異物感を与えるおそれ等が生じ易くなるからである。本実施形態においては，下側移行部５４の厚さ変化率：（Ｔａ−Ｔｃ）／β＝１．０３×１０−２ｍｍ／角度に設定されている。
［０１０９］　また，本実施形態においては，上側移行部５２の厚さ変化率：（Ｔａ−Ｔｂ）／αに比して，下側移行部５４の厚さ変化率：（Ｔａ−Ｔｃ）／βが大きく設定されており，上側移行部５２の傾斜に比して下側移行部５４の傾斜がより急峻とされている。そこにおいて，上側移行部５２の厚さ変化率：（Ｔａ−Ｔｂ）／αと下側移行部５４の厚さ変化率：（Ｔａ−Ｔｃ）／βとの差は，好適には，０．１０×１０−２ｍｍ／角度〜０．６０×１０−２ｍｍ／角度の範囲内で設定される。蓋し，上側移行部５２と下側移行部５４の厚さ変化率の差が０．１０×１０−２ｍｍ／角度よりも小さいと，上側移行部５２と下側移行部５４の傾斜の差が小さくなり過ぎて，比較的緩やかな傾斜を有する上側移行部５２に対する上眼瞼の滑らかな乗り降りによる異物感の軽減効果等と比較的急峻な傾斜を有する下側移行部５４に対する下眼瞼への食い込み防止効果等の両立が困難となる一方，上側移行部５２と下側移行部５４の厚さ変化率の差が０．６０×１０−２ｍｍ／角度よりも大きいと，厚肉部５０を挟んだ上下両側における傾斜角度の差が大きくなり過ぎて，装用感を損ない易くなるからである。特に本実施形態においては，下側移行部５４の周方向寸法が上側移行部５２の周方向寸法に比して小さくされていることによって，下側移行部５４を上側移行部５２に比して容易に急峻に設定することが出来る。本実施形態においては，上側移行部５２の厚さ変化率：（Ｔａ−Ｔｂ）／αと下側移行部５４の厚さ変化率：（Ｔａ−Ｔｃ）／βとの差＝０．４１×１０−２ｍｍ／角度に設定されている。
［０１１０］　なお，図４にも示すように，
下側移行部５４には，
［０１１１］　さらに，前述のように，本実施形態におけるコンタクトレンズ１０は，光学部２６と第一周辺部２８との接続点である第一ジャンクション３４および第一周辺部２８と第二周辺部３０との接続点である第二ジャンクション３６の径方向において，エッジ状の折れ点がなく滑らかな形状とされている。これにより，第二周辺部３０に形成された
厚肉部５０，上下側薄肉部４２，４４および上下側移行部５２，５４の内周縁部は，光学部２６の外周縁部と滑らかに接続されており，本実施形態においては，第一周辺部２８によって径方向移行部が形成され
［０１１２］　なお，図１〜３に示された本実施形態のコンタクトレンズ１０は，具体的には例えば，外径寸法（ＤＩＡ）が１４．５ｍｍとされている。また，レンズ後面１８が，レンズ幾何中心軸１２に曲率中心を有する曲率半径（ベースカーブ）：８．６０ｍｍの球面に対して，円柱度数：−１．２５ディオプタの円柱レンズ面を，円柱軸角度：１８０度として水平方向に延びる円柱軸をもって組み合わせた形状とされている。また，光学部２６におけるレンズ前面１６は，球面形状を採用して，−３．００ディオプタのパワー（Ｐ）を与えるように設計されている。
［０１１３］　また，レンズ前面１６は，光学部２６および第一周辺部２８を含んで，周上の各部位における径方向断面形状が円弧を使用して設定されている。また，レンズ後面１８は，第一ジャンクション３４および第二ジャンクション３６の何れにおいても，一つの接線を共有した，折れ点のない滑らかな径方向断面をもって設計されている。なお，第二周辺部後面２４は，径方向断面形状が周方向において変化せしめられているが，周方向においてもエッジ状の折れ点がなく滑らかに環状に連続した湾曲面形状とされている。
・・・（中略）・・・
［０１１８］　このような構造とされたコンタクトレンズ１０は，図６に示すように，角膜表面に装用される。なお，図６は，右眼への装用状態を示す。かかる
装用状態において，本実施形態におけるコンタクトレンズ１０によれば，瞬目に際して及ぼされる一対の厚肉部５０への眼瞼の押し出し作用（レンズの滑り出し作用）等により，厚肉部５０に下方への押し出し力が及ぼされる。これにより，コンタクトレンズ１０を回転せしめて，所期の周方向位置（左右端部４６，４８が水平位置に位置せしめられた，図６に示す位置）に位置せしめることが出来る。
［０１１９］　さらに，本実施形態においては，厚肉部５０において水平径方向線１５の上方に位置する上側厚肉部５６の周方向長さに比して，水平径方向線１５の下方に位置する下側厚肉部５８の周方向長さが大きくされている。これにより，瞬目に際する下方への押し出し力を下側厚肉部５８に対してより有効に及ぼしめて，コンタクトレンズ１０の周方向位置をより安定せしめることが出来る。また，
レンズの左右に形成された厚肉部５０の釣り合いによる周方向位置安定性の向上も図られ得る。
［０１２０］　さらに，本実施形態においては，厚肉部５０の周方向上下両側において厚さ寸法が次第に変化せしめられた上側移行部５２および下側移行部５４が形成されている。かかる
上側移行部５２により，瞬目に際する押し出し効果を上側移行部５２にも及ぼすことが出来て，更なる周方向位置安定性の向上が図られ得る。
［０１２１］　加えて，これら厚肉部５０および上下側移行部５２，５４を含む第二周辺部３０が，径方向断面および周方向断面の何れにおいても，エッジ状の折れ点を有さない滑らかな面とされていることから，瞬目に際して眼瞼が厚肉部５０や上下側移行部５２，５４に引っ掛かるおそれも軽減されており，装用感の更なる向上が図られ得る。
［０１２２］　そして，本実施形態に従う構造とされたコンタクトレンズ１０は，
眼を開いた状態で上
眼瞼８０
が重なる位置に，上側薄肉部４２および下側薄肉部４４が形成され
特に本実施形態においては，眼を開いた状態の上眼瞼８０の縁部が厚肉部５０の周方向上端縁部よりも僅かに上方に位置せしめられ
［０１２３］　さらに，本実施形態における光学部２６は，その重心位置がレンズ幾何中心軸１２上に位置せしめられており，プリズムのような局所的な厚肉部が形成されていないことから，プリズムによる光学上の悪影響などの問題も有利に回避され得ると共に，より優れた装用感を得ることが出来る。
［０１２４］　また，例えばコンタクトレンズ１０の上下を逆に装用した場合には，周方向長さ寸法の大きな下側厚肉部５８と上眼瞼８０の重なり合う範囲が広くなることに起因して，装用者に違和感を与えることが出来て，装用状態が正しくないことを認識させることが出来る。
［０１２５］　また，下側移行部５４の傾斜が比較的急峻とされていることによって，瞬目の際にコンタクトレンズ１０が下方に変位せしめられたとしても，下眼瞼８２と厚肉部５０の重なり合いを回避乃至は軽減することが出来て，装用感がより向上せしめられる。
［０１２６］　このように，本実施形態におけるコンタクトレンズ１０は，眼の形状を考慮して上下側薄肉部４２，４４および厚肉部５０の形状を設定すると共に，上側移行部５２の傾斜に比して下側移行部５４の傾斜を急峻に設定したことによって，良好な装用感と
優れた周方向安定性
　エ　「［０１３６］（実施例１）
 　先ず，実施例１として，本発明に従う構造とされた複数のコンタクトレンズを用意した。かかる実施例１では，外径寸法（ＤＩＡ）＝１４．５ｍｍ，ベースカーブ（Ｂ．Ｃ．）＝８．６０ｍｍ，円柱度数（ＣｙｌｉｎｄｅｒＰｏｗｅｒ）：−１．２５ディオプタ，円柱軸角度（Ａｘ）：１８０度，パワー（Ｐ）＝−３．００ディオプタとした。なお，トーリック面はレンズ後面に形成されている。
［０１３７］　さらに，実施例１のコンタクトレンズでは，レンズ幾何中心軸回りにおいて，上側薄肉部の周方向端縁部とレンズ上端部間の中心角（図１における角度：ε／２。即ち，９０−α−γ）を２０度
，上側移行部の中心角（図１における角度：α）を５０度，厚肉部の上端縁部の仰角（図１における角度：γ）を２０度，厚肉部の下端縁部の俯角（図１における角度：δ）を４０度，下側移行部の中心角（図１における角度：β）を３０度
［０１３８］　また，
厚肉部の厚さ寸法（厚肉部の周方向両側における上下移行部との境界厚さ寸法に等しい）をＴａ＝０．４５ｍｍ，上側薄肉部の厚さ寸法（上側薄肉部の周方向両側における上側移行部との境界厚さ寸法に等しい）：Ｔｂおよび下側薄肉部の厚さ寸法（下側薄肉部の周方向両側における下側移行部との境界厚さ寸法に等しい）：Ｔｃは，Ｔｂ＝Ｔｃ＝０．１４ｍｍ
［０１３９］　また，比較例１乃至３として，以下のとおり，上側移行部の厚さ変化率と下側移行部の厚さ変化率に差を設けないコンタクトレンズを用意した。
・・・（中略）・・・
［０１４３］　そして，これら実施例１と比較例１〜３の計４種類のコンタクトレンズを，２１名４２眼に約２０分程度の短時間装用させて，軸の傾きの程度を測定した結果および装用感について調査した結果を，以下の表１に示す。
［０１４４］
　［表１］　　　　　　　　　　　　　　　　　　　　　　　　　　　　
［０１４５］なお，表１および後述する表２中の矢印は，実施例１のものと同じ値であることを示す。かかる表１に示す軸の傾きから明らかなように，実施例１は，何れの比較例よりも良好な軸安定性（周方向位置の安定性）が得られている。一方，装用感について見ると，実施例１は比較例１に比してやや劣るものの，比較例１は実施例１に比して軸安定性について大きく劣る。このことから，上側移行部の厚さ変化率と下側移行部の厚さ変化率を異ならせることによって，軸安定性と装用感の両立がより高度に達成され得ることが確認された。
［０１４６］　また，一定の厚さ寸法をもって周方向に延びる厚肉部を有さない比較例１の軸安定性が最も低いことから，一定の厚さ寸法をもって周方向に延びる厚肉部を設けることによって軸安定性が高められることが確認できる。更に，実施例１と比較例２とを比較した場合，実施例１の方が良好な軸安定性が得られている。このことから，厚肉部の仰角が等しい場合，俯角がより大きく形成された方が軸安定性が向上せしめられることが確認された。また，実施例１と比較例３とを比較した場合，実施例１の方が良好な軸安定性が得られている。このことから，厚肉部の周方向寸法（中心角）が等しい場合（実施例１および比較例３は，何れも仰角＋俯角＝６０度とされている），俯角を大きく形成した方が軸安定性が向上せしめられることが確認された。
［０１４７］　更に注目されるところは，比較例２と実施例１を比べた場合に，レンズ周辺部で最大厚さとなる厚肉部の周方向寸法について比較例２よりも実施例１の方が大きい。即ち，比較例２の厚肉部の中心角（γ＋δ）が４０度に対して，実施例１の厚肉部の中心角（γ＋δ）が６０度とされている。しかも，上下の薄肉部の周方向寸法は，比較例２と実施例１で同じとされている。それにも拘わらず，装用感に関して，比較例２よりも実施例１の方が良好であると評価されているのである。
［０１４８］　このことは，比較例２に対して実施例１では，本発明に従って，厚肉部を上方よりも下方に向けて大きく延び出させると共に，下側移行部の厚さ寸法の周方向変化率を大きく設定したことによるものと考えられる。しかも，比較例２に比して実施例１では，前述の如く周方向位置決め精度が格段に向上されているのである。このように，比較例２と実施例１を比べることにより，本発明の特徴的な構成である「レンズ左右両側に設けた厚肉部のレンズ下方への延び出しと，かかる厚肉部の周方向上下両側に設けた上側移行部と下側移行部との相対的な傾斜角度の相違設定とを，互いに組み合わせた構成」によって達成される本発明の技術的効果をみることが出来るのである。
［０１４９］　以上のとおり，実施例１および比較例１〜３に係るコンタクトレンズを用いた評価結果から，本発明に従う構造とされたコンタクトレンズにおいて発揮される，従来技術に従う構造とされたコンタクトレンズに比して特別な技術的効果であるところの周方向位置の安定性と装用感との両立した向上効果を確認することが出来た。」
　オ　「［図１］　　　　　　　　　　　　　　　　　　　　　　　　　
［図２］　　　　　　　　　　　　　　　　　　　　　　　　　　　　　
［図３］　　　　　　　　　　　　　　　　　　　　　　　　　　　　　
［図４］　　　　　　　　　　　　　　　　　　　　　　　　　　　　　
・・・（中略）・・・
［図６］　　　　　　　　　　　　　　　　　　　　　　　　　　　　　
」
（２）引用文献１に記載された発明
　前記（１）アないしオを含む引用文献１の全記載からみて，引用文献１には次の発明が記載されていると認められる。
「レンズ中央部分に光学部２６が形成され，当該光学部２６の外周に第一周辺部２８が形成され，当該第一周辺部２８の外周に第二周辺部３０が形成され，前記第一周辺部２８と前記第二周辺部３０によって周辺部３１が構成されているとともに，最外周縁部に位置してレンズ前面１６とレンズ後面１８を接続するエッジ部３２を有し，
　前記第二周辺部３０には，鉛直方向上下端部３８，４０を含む所定の周方向寸法にわたって，前記第二周辺部３０の周上で相対的に薄肉とされた上側薄肉部４２及び下側薄肉部４４が形成され，水平方向左右端部４６，４８を含む所定の周方向寸法にわたって，前記第二周辺部３０の周上で相対的に厚肉とされて，前記上下薄肉部４２，４４よりも厚さ寸法の大きな一対の厚肉部５０が形成され，前記第二周辺部３０の周方向における前記上側薄肉部４２と前記厚肉部５０，５０の間の２箇所にそれぞれ上側移行部５２が形成され，前記下側薄肉部４４と前記厚肉部５０，５０の間の２箇所にそれぞれ下側移行部５４が形成されており，
　前記一対の厚肉部５０，５０は互いに鉛直径方向線１４を挟んで対称形状とされ，レンズ幾何中心軸１２回りにおいて前記厚肉部５０の周方向上端縁部が位置する仰角γが２０度に設定され，周方向下端縁部が位置する俯角δが４０度に設定され，前記各厚肉部５０の径方向断面形状は，前記第一周辺部２８との接続点である第二ジャンクション３６の位置で最も厚肉とされて，エッジ部３２に行くに連れて次第に薄肉となるようにされており，前記厚肉部５０は周方向の全体にわたって一定の厚さ寸法Ｔａを有し，当該Ｔａの値は０．４５ｍｍであり，
　前記上下側薄肉部４２，４４は，それぞれ，鉛直径方向線１４に関して対称形状とされ，前記上下側薄肉部４２，４４の径方向断面形状は，前記第一周辺部２８との接続点である前記第二ジャンクション３６の位置で最も厚肉とされて，前記エッジ部３２に行くに連れて次第に薄肉となるようにされており，前記上側薄肉部４２及び前記下側薄肉部４４はそれぞれ周方向の全体にわたって一定の厚さ寸法Ｔｂ及びＴｃを有し，当該Ｔｂ及びＴｃの値はいずれも０．１４ｍｍであり，前記上側薄肉部４２と前記下側薄肉部４４の周方向寸法は互いに等しくされており，
　前記上側移行部５２は前記上側薄肉部４２の周方向両側に形成されて鉛直径方向線１４を挟んで互いに対称形状とされ，前記上側薄肉部４２の周方向左右それぞれの端縁部から前記厚肉部５０の周方向上端縁部に行くに連れて，周方向で厚さ寸法がＴｂからＴａに次第に大きくなるように変化せしめられ，前記上側薄肉部４２と前記厚肉部５０を接続するようになっており，前記上側移行部５２におけるレンズ幾何中心軸１２回りで周方向上下両側のＴｂ−Ｔａ間の中心角αは５０度に設定され，
　前記下側移行部５４は前記下側薄肉部４４の周方向両側に形成されて鉛直径方向線１４を挟んで互いに対称形状とされ，前記下側薄肉部４４の周方向左右それぞれの端縁部から前記厚肉部５０の周方向下端縁部に行くに連れて，周方向で厚さ寸法がＴｃからＴａに次第に大きくなるように変化せしめられ，前記下側薄肉部４４と前記厚肉部５０を接続するようになっており，前記下側移行部５４におけるレンズ幾何中心軸１２回りで周方向上下両側のＴａ−Ｔｃ間の中心角βは３０度に設定され，
　前記厚肉部５０，前記上下側薄肉部４２，４４及び前記上下側移行部５２，５４の内周縁部は，前記光学部２６の外周縁部と滑らかに接続されて，前記第一周辺部２８によって径方向移行部が形成されている，
　ソフトタイプのコンタクトレンズ１０。」（以下，「引用発明」という。）
５　当審拒絶理由についての判断
（１）対比
　ア　引用発明の「光学部２６」及び「コンタクトレンズ１０」は，本願発明の「光学領域」及び「コンタクトレンズ」にそれぞれ相当する。
　イ　引用発明の「周辺部３１」は，「光学部２６」の外周に形成された第一周辺部２８及び当該第一周辺部２８の外周に形成された第二周辺部３０によって構成された領域であるところ，当該領域のうち少なくともレンズ前面１６及びレンズ後面１８により構成されるレンズ表面の部分は，「光学部２６」（本願発明の「光学領域」に相当する。以下，「（１）対比」の欄において，「」で囲まれた引用発明の構成に付した（）中の記載は，当該引用発明の構成に相当する本願発明の発明特定事項を表す。）を取り囲む周囲方向のレンズ表面領域といえるから，本願発明の「周縁ゾーン」に相当する。
　したがって，本願発明と引用発明は，「光学領域と，前記光学領域を取り囲む周囲方向のレンズ表面領域である周縁ゾーンと，を含むコンタクトレンズ」である点で一致する。
　ウ　引用発明の「周辺部３１」は，第一周辺部２８と第二周辺部３０によって構成されており，前記第二周辺部３０には相対的に薄肉とされた上側薄肉部４２及び下側薄肉部４４と，相対的に厚肉とされて，前記上下薄肉部４２，４４よりも厚さ寸法の大きな一対の厚肉部５０が形成され，前記上側薄肉部４２と前記厚肉部５０，５０の間の２箇所にそれぞれ上側移行部５２が形成され，前記下側薄肉部４４と前記厚肉部５０，５０の間の２箇所にそれぞれ下側移行部５４が形成されたものであるから，周辺部３１の平均厚さ（以下，単に「平均厚」という。）は，上下側薄肉部４２，４４の厚さ寸法Ｔｂ及びＴｃ（０．１４ｍｍ）よりも大きく，厚肉部５０の厚さ寸法Ｔａ（０．４５ｍｍ）より小さいことは明らかである。このことは，引用文献１の図２及び図３に示された水平方向及び鉛直方向の断面図からも確認できる。
　そうすると，引用発明の「周辺部３１」において，概ね各上側移行部５２のうち「平均厚」を有する位置から上側の部分と上側薄肉部４２とにより構成される部位（以下，便宜上「上側の薄い部位」という。）と，概ね各下側移行部５４のうち「平均厚」を有する位置から下側の部分と下側薄肉部４４とにより構成される部位が，「平均厚」よりも薄い厚さ値を有しており，各上側移行部５２の残余の部分と各厚肉部５０と各下側移行部５４の残余の部分と第一周辺部２８の各径方向移行部のうちの「平均厚」よりも厚い部分とによりそれぞれ構成される左右２つの部位（以下，便宜上「厚い部位」という。）が，「平均厚」よりも厚い厚さ値を有していることになる。
　しかるに，前記「上側の薄い部位」は，前記左右２つの「厚い部位」の上側に形成されており，「周辺部３１」（周縁ゾーン）の平均厚さよりも薄い厚さ値を有する領域であるから，本願発明の「肉薄部」と，「肉厚部の上側に形成され，周縁ゾーンの平均厚さよりも薄い厚さ値を有する領域」である点で一致する。
　また，前記各「厚い部位」は，その厚さが「平均厚」よりも大きく，「上側の薄い部位」（肉薄部）の厚さが当該「平均厚」よりも小さいのだから，本願発明の「肉厚部」と，「肉薄部より厚い厚さ値を有する領域」である点で一致する。
　さらに，引用文献１の記載によれば，引用発明においては，眼を開いた状態の上眼瞼８０が重なる位置に「上側薄肉部４２」が形成され，当該状態の上眼瞼８０の縁部が厚肉部５０の周方向上端縁部よりも僅かに上方に位置せしめられていて（［０１２２］），瞬目に際して及ぼされる「厚肉部５０」及び「上側移行部５２」への眼瞼の押し出し作用等により，コンタクトレンズ１０を回転せしめて，所期の周方向位置に位置せしめたり（［０１１８］，［０１２０］），左右に形成された「厚肉部５０」の釣り合いによって周方向位置の安定性を向上したり（［０１１９］）するのであるから，少なくとも「上側薄肉部４２」，「上側移行部５２」及び「厚肉部５０」（すなわち「上側の薄い部位」及び「厚い部位」）は，「眼上でのレンズの位置を安定化させるため」の構成であるといえる。したがって，本願発明と引用発明は，「周縁ゾーンは，眼上でのレンズの位置を安定化させるための肉厚部及び肉薄部を有」する点で共通する。
　エ　前記アないしウに照らせば，本願発明と引用発明は，
「光学領域と，前記光学領域を取り囲む周囲方向のレンズ表面領域である周縁ゾーンと，
を含むコンタクトレンズであって，
　前記周縁ゾーンは，眼上でのレンズの位置を安定化させるための肉厚部及び肉薄部を有し，
　前記肉薄部が，前記肉厚部の上側に形成され，前記周縁ゾーンの平均厚さよりも薄い厚さ値を有する領域であり，
　前記肉厚部は，前記肉薄部より厚い厚さ値を有する領域である，
　コンタクトレンズ。」
である点で一致し，次の点で一応相違する。
相違点：
　本願発明では，「肉厚部」及び「肉薄部」を有する「安定化ゾーン」が，「光学領域」の左右両側に形成されているのに対して，
　引用発明では，「厚い部位」は「光学部２６」の左右両側に形成されているものの，「上側の薄い部位」は「光学部２６」の左側の「厚い部位」の上端から「光学部２６」の右側の「厚い部位」の上端にわたって位置しており，本願発明のような「安定化ゾーン」が形成されているといえるのか否かが定かでない点。
（２）相違点の判断
　ア　引用発明において，「上側の薄い部位」のうち鉛直径方向線１４より右側の部分と右側の「厚い部位」とからなる領域と，「上側の薄い部位」のうち鉛直径方向線１４より左側の部分と左側の「厚い部位」とからなる領域を，それぞれ本願発明の「安定化ゾーン」に相当するものと考えることができる。
　引用発明における前記「安定化ゾーン」に相当する２つの領域は，それらの上端同士が接続された形状をしているが，本件出願の請求項１には，光学領域の左右両側に形成される「安定化ゾーン」について，それらの上端同士の位置関係（離れていることを要するのか，それとも接することを許容するのか）については，何ら規定されていないから，相違点に係る本願発明の発明特定事項は，上端同士が接続されている引用発明の態様を包含するものと認められる。
　イ　この点について，念のため，「安定化ゾーン」の上側に位置する肉薄部に関する本件明細書の記載を検討すると，【０００１】の「レンズの眼上での方向の維持は通常，レンズの機械的特性を変えることによって行われる。安定化アプローチの例としては，・・・（中略）・・・下方レンズ周辺部の厚さの増大・・・（中略）・・・が挙げられる。」という記載や，【００１３】の「このモデルは，処方されたまばたき回数以内で，後述の付加力シミュレーションにより，安定化レンズを設計するためのプロセスに使用される。レンズが回転し偏心する度合は，これにより測定される。この設計は次に，回転及び／又は偏心がより望ましいレベルになるように誘導する方法で変更される。」という記載，【００１４】の「レンズの縁にある厚いゾーンは，レンズの動きの位置と向きを制御するのに使用することができる。・・・（中略）・・・上眼瞼は，コンタクトレンズに対して均一な圧力をかける。」という記載等から，「肉厚部」が，コンタクトレンズの装用時にまばたきをすることで上眼瞼が当該肉厚部に圧力を加え，それによってコンタクトレンズの眼上での方向を維持するために設けられたものであること（以下，上眼瞼によって圧力が加えられるという肉厚部の機能を「肉厚部の被押圧機能」という。）を把握でき，【００２４】の「安定化ゾーンがレンズ周縁部に追加されるとき，レンズの上部分の厚さは，増大するのではなく減少する。・・・（中略）・・・これにより最大厚さが低減でき，しかも同じ厚さ差異を保つことができる。」という記載等から，「肉薄部」が，「肉厚部の被押圧機能」を損なわずにコンタクトレンズの最大厚さを低減するために設けられたものであることを把握できる。
　「肉厚部」及び「肉薄部」のこれら技術的意義に鑑みると，左右の「肉厚部」の上側に形成された各「肉薄部」については，前記「肉厚部の被押圧機能」を阻害しない限りにおいて任意の形状であってよいことが明らかである。すなわち，本件明細書の記載からは，本願発明において，各肉薄部が互いに分離したものでなければならないような技術上の要請を把握することはできない。
　そればかりか，左右の「肉薄部」の間に厚さの大きな領域が存在するような場合には，上眼瞼が当該厚さの大きな領域に乗り上げて「肉薄部」と上眼瞼の間に隙間が生じてしまい，「肉厚部の被押圧機能」を十分に発揮できないというような状況も想定されるのだから，「肉厚部の被押圧機能」を阻害しないという観点からは，「肉薄部」の形状としては，却って，各「肉薄部」同士が接して，一つの肉薄部を構成しているような形態が最も自然であるともいえる。
　ウ　前記ア及びイのとおりであって，相違点１に係る本願発明の発明特定事項は，引用発明の「上側の薄い部位」及び「厚い部位」に係る構成を包含するものと解するのが相当であるから，相違点１は実質的な相違点ではない。
（３）小括
　以上のとおりであるから，本願発明は，引用発明と実質的に同一である。
６　むすび
　本件出願の請求項１に係る発明は，引用発明と実質的に同一であるから，特許法２９条１項３号に該当する。
　したがって，他の請求項に係る発明について検討するまでもなく，本件出願は特許を受けることができない。
　よって，結論のとおり審決する。